(57)【特許請求の範囲】
【請求項１】
橋脚などの既設水中構造物の周りを締切り仮設体で締め切ってその内部を排水して本工事を行う既設水中構造物の仮締切り工法であって、
前記締切り仮設体を水中地盤に圧入する際に前記既設水中構造物から反力を得るための反力ブラケットを前記既設水中構造物の上部に設置する反力ブラケット設置工程と、
前記反力ブラケットで前記既設水中構造物から反力を得つつ、圧入ジャッキにより前記締切り仮設体を水中地盤に圧入するとともに、前記締切り仮設体の内側の水中地盤を掘削する前記締切り仮設体圧入・掘削工程と、を有し、
前記締切り仮設体に当接する先端にローラ部材又は摺接部材を有するガイドブラケットにより、前記締切り仮設体をガイドしながら下降させること
を特徴とする既設水中構造物の仮締切り工法。
【請求項２】
前記締切り仮設体の初期の組み立て用の仮受台として仮受ブラケットを設置する仮受ブラケット設置工程と、
前記仮受ブラケット上で締切り仮設体の最下段から１段又は複数段組み立てる締切り仮設体の初期組立工程と、
前記仮受ブラケットの先端を、ローラ部材又は摺接部材に付け替えて仮受ブラケットを前記ガイドブラケットに変更するブラケット先端付け替え工程と、
前記ガイドブラケットで前記締切り仮設体をガイドしながら沈降させる締切り仮設体の沈降工程と、を有していること
を特徴とする請求項１に記載の既設水中構造物の仮締切り工法。
【請求項３】
前記締切り仮設体の下部に、前記締切り仮設体に当接する先端にローラ部材又は摺接部材を有する下部ガイドブラケットを取り付ける下部ガイドブラケット取付工程を有し、
前記締切り仮設体を圧入ジャッキにより水中地盤に圧入する際に、前記下部ガイドブラケットでガイドすること
を特徴とする請求項１又は２に記載の既設水中構造物の仮締切り工法。
【請求項４】
前記下部ガイドブラケットで前記締切り仮設体が動かないよう保持しつつ、前記締切り仮設体の下端に止水コンクリートを打設する止水処理工程を有すること
を特徴とする請求項３に記載の既設水中構造物の仮締切り工法。
【請求項５】
前記既設水中構造物のフーチングから反力を得て締切り仮設体を引き抜くための引抜用鋼材を設置する引抜用鋼材設置工程と、
前記引抜用鋼材を用いて前記締切り仮設体を引き抜く締切り仮設体の引き抜き工程と、を有すること
を特徴とする請求項１乃至４の何れかに記載の既設水中構造物の仮締切り工法。
【発明の詳細な説明】
【技術分野】
【０００１】
本発明は、橋脚などの既設水中構造物の調査、補修、補強等の工事のために水中構造物の周りを鋼製パネル等で一旦締め切ってその内部を排水して本工事を行う既設水中構造物の仮締切り工法に関するものである。
【背景技術】
【０００２】
従来、河川や海中に位置する橋脚などの既設水中構造物の調査、補修、補強等の工事を行うための仮設工事として、既設水中構造物の基礎の外側に台船などから鋼矢板を打ち込んで、その内側の水を汲み上げ排水するとともに、土砂を全部浚渫してドライな作業エリアを構築し、本工事が行われていた。
【０００３】
しかし、鋼矢板は幅が狭く、必然的に、打ち込み箇所が多くなる上、空頭制限が厳しい環境では、そもそも施工できないという問題があった。また、一旦使用した短尺の鋼矢板はスクラップ扱いになるため、不経済であるという問題もあった。さらに、施工時の河積阻害や船路確保が懸念される他、鋼矢板を打ち込み地盤が軟弱地盤である場合には、根入れ長さが深くなり、施工期間が長期化し、施工費が嵩むという問題もあった。
【０００４】
その他、鋼矢板を用いない仮締切工法としては、例えば、特許文献１には、橋脚１の外周を筒型仮締切壁１４で囲撓し、内部を排水して、補強工事を行い、工事の終了後に仮締切壁１４を撤去する仮締切り工法において、仮締切壁１４は、周方向に沿って、鉛直方向に分断した複数のパネルユニット１６に分割形成され、仮締切壁１４を形成する際には、橋脚１のフーチング２部上にガイド枠１０を設置し、各パネルユニット１６の内面側を、ガイド枠１０に係止するようにして、パネルユニット１６を垂設支持した後に、パネルユニット１６の下端側を、フーチング部２の外周に沿った水底地盤３中にコンクリート打設により止水固定し、かつ、周方向に隣接するパネルユニット１６間に止水パッキンを介装して、水密性を確保しながら、パネルユニット１６を周方向に連結して筒型形状に形成する仮締切り工法が開示されている（特許文献１の特許請求の範囲の請求項１、明細書の段落００１８〜００４２、図面の図１〜２２等参照）。
【０００５】
しかし、特許文献１に記載の仮締切り工法では、仮締切壁１４を橋脚１のフーチング部２の外側に設置する関係上、事前に、埋没したフーチング部２の天端が露出するまで浚渫する必要があり、地盤によっては、水中土留め壁（鋼矢板）５を打ち込まなければならなかった。そのため、フーチング部２の天端までの土被りが深い場合は、鋼矢板を用いた従来工法と同様に、大規模浚渫に伴い、近隣構造物への悪影響や河川等の近隣環境の汚濁などの環境面の問題が懸念されるうえ、浚渫土処理の費用も嵩むといった問題があった。
【０００６】
また、本願の出願人が開発したものとして、特許文献２には、（１）水中の既設構造物に圧入反力手段を設置する工程と、（２）既設構造物の外周に複数に分割された締切り鋼板を周方向に連結して最下端の補強リング体を形成する工程と、（３）最下端の補強リング体の上に圧入桁、圧入ジャッキを設置し、最下端の補強リング体を圧入反力手段、圧入ジャッキ、ガイド部材を介して水底地盤中に圧入する工程と、（４）最下端の補強リング体で締切られた水底地盤を掘削する工程と、（５）圧入桁、圧入ジャッキを撤去し、次の補強リング体を組み立て、最下端の補強リング体の上部に２段目の補強リング体を連結する工程と、（６）２段目の補強リング体の上に圧入桁、圧入ジャッキを設置し、最下端の補強リング体と２段目の補強リング体を基礎中に圧入する工程と、（７）前記工程を繰返し、補強リング体を水底地盤の天端から水底地盤中の所望の深さまで圧入する工程と、（８）補強リング体上端から水面上まで伸びる締切り部材としてのリング状ライナープレート或いは鋼製リングを設置する工程と、（９）補強リング体とリング状ライナープレート或いは鋼製リングで囲繞されるスペース内で水底地盤の天端から所望深さまで掘削し、止水材を取付け、止水用コンクリートを打設し、仮締切り構造内の水を汲み出しドライな作業空間を形成する工程と、を有することを特徴とする水中の既設構造物の仮締切り工法が開示されている（特許文献２の特許請求の範囲の請求項７、明細書の段落００１６、図面の図３等参照）。
【０００７】
しかし、特許文献２に記載の水中の既設構造物の仮締切り工法では、浚渫範囲は限定されているものの、橋脚の断面形状が変化する場合、対応することができないという問題があった。また、鋼製リング体５を水中地盤に圧入する際に正確に圧入することができないという問題もった。
【先行技術文献】
【特許文献】
【０００８】
【特許文献１】特開２００３−２３２０４４号公報
【特許文献２】特開２００５−２６４５００号公報
【発明の概要】
【発明が解決しようとする課題】
【０００９】
そこで、本発明は、上述した問題に鑑みて案出されたものであり、その目的とするところは、浚渫範囲を最小限にするとともに、環境にも悪影響を及ぼすことなく、作業工数及び作業期間を削減して施工費の低減を図ることができ、橋脚の断面形状が変化する場合も対応することができるとともに、水中地盤に正確に圧入することができる既設水中構造物の仮締切り工法を提供することにある。
【課題を解決するための手段】
【００１０】
第１発明に係る既設水中構造物の仮締切り工法は、橋脚などの既設水中構造物の周りを締切り仮設体で締め切ってその内部を排水して本工事を行う既設水中構造物の仮締切り工法であって、前記締切り仮設体を水中地盤に圧入する際に前記既設水中構造物から反力を得るための反力ブラケットを前記既設水中構造物の上部に設置する反力ブラケット設置工程と、前記反力ブラケットで前記既設水中構造物から反力を得つつ、圧入ジャッキにより前記締切り仮設体を水中地盤に圧入するとともに、前記締切り仮設体の内側の水中地盤を掘削する前記締切り仮設体圧入・掘削工程と、を有し、前記締切り仮設体に当接する先端にローラ部材又は摺接部材を有するガイドブラケットにより、前記締切り仮設体をガイドしながら下降させることを特徴とする。
【００１１】
第２発明に係る既設水中構造物の仮締切り工法は、第１発明において、前記締切り仮設体の初期の組み立て用の仮受台として仮受ブラケットを設置する仮受ブラケット設置工程と、前記仮受ブラケット上で締切り仮設体の最下段から１段又は複数段組み立てる締切り仮設体の初期組立工程と、前記仮受ブラケットの先端を、ローラ部材又は摺接部材に付け替えて仮受ブラケットを前記ガイドブラケットに変更するブラケット先端付け替え工程と、前記ガイドブラケットで前記締切り仮設体をガイドしながら沈降させる締切り仮設体の沈降工程と、を有していることを特徴とする。
【００１２】
第３発明に係る既設水中構造物の仮締切り工法は、第１発明又は第２発明において、前記締切り仮設体の下部に、前記締切り仮設体に当接する先端にローラ部材又は摺接部材を有する下部ガイドブラケットを取り付ける下部ガイドブラケット取付工程を有し、前記締切り仮設体を圧入ジャッキにより水中地盤に圧入する際に、前記下部ガイドブラケットでガイドすることを特徴とする。
【００１３】
第４発明に係る既設水中構造物の仮締切り工法は、第３発明において、前記下部ガイドブラケットで前記締切り仮設体が動かないよう保持しつつ、前記締切り仮設体の下端に止水コンクリートを打設する止水処理工程を有することを特徴とする。
【００１４】
第５発明に係る既設水中構造物の仮締切り工法は、第１発明乃至第４発明の何れかの発明において、前記既設水中構造物のフーチングから反力を得て締切り仮設体を引き抜くための引抜用鋼材を設置する引抜用鋼材設置工程と、前記引抜用鋼材を用いて前記締切り仮設体を引き抜く締切り仮設体の引き抜き工程と、を有することを特徴とする。
【発明の効果】
【００１５】
第１発明〜第５発明によれば、本工事の作業スペースとなる締切り仮設体の内部だけを浚渫すれば良いので、浚渫範囲を最小限にするとともに、環境にも悪影響を及ぼすことが少なくなる。また、ガイドブラケットにより、締切り仮設体をガイドしながら下降させるので、特許文献１に記載の発明のように、大掛かりな足場を組む必要がないうえ、締切り仮設体の着水の際に、水流により締切り仮設体が傾倒するおそれが少なく、極めて安全である。その上、第１発明〜第５発明によれば、ガイドブラケットでガイドするので橋脚の断面形状が変化する場合も対応することができるとともに、水中地盤に正確に圧入することができる。
【００１６】
特に、第２発明によれば、仮受ブラケットを利用して締切り仮設体の初期の組立を行うことができる。このため、空頭制限を受ける狭隘な場所であっても、また、風等により吊り荷が回転してしまうような場合であっても、締切り仮設体の組立が容易である。その上、仮受ブラケットの先端を付け替えてガイドブラケットに変更し、締切り仮設体の着水時の位置を正確に案内できるので、さらに作業期間を削減して施工費の低減を図ることができる。
【００１７】
特に、第３発明によれば、締切り仮設体を圧入ジャッキにより水中地盤に圧入する際に、下部ガイドブラケットでガイドするので、締切り仮設体の水中地盤への圧入を正確に鉛直下方に案内・誘導することができ、不要な抵抗を受けずにスムーズに圧入することができる。このため、さらに作業期間を削減して施工費の低減を図ることができる。また、下部ガイドブラケットの長さを盛り替えることにより橋脚の断面形状が変化する場合も対応することができる。
【００１８】
特に、第４発明によれば、前記下部ガイドブラケットで前記締切り仮設体が動かないよう保持しつつ、前記締切り仮設体の下端に止水コンクリートを打設するので、止水コンクリートの打設時及び養生時に水流により締切り仮設体が動かないように仮固定することができ、止水コンクリートが上手く固まらないことを防ぐことができる。
【００１９】
特に、第５発明によれば、引抜用鋼材を用いて締切り仮設体を引き抜くことができる。このため、締切り仮設体の解体・撤去作業を短時間で容易に行うことができる。このため、さらに作業期間を削減して施工費の低減を図ることができる。
【図面の簡単な説明】
【００２０】
【図１】本発明の実施の形態に係る既設水中構造物及び締切り仮設体を示す斜視図である。
【図２】同上の既設水中構造物及び締切り仮設体を示す橋梁の幅方向に沿った鉛直断面図である。
【図３】同上の既設水中構造物及び締切り仮設体を示す平面図である。
【図４】同上の既設水中構造物及び締切り仮設体を示す橋梁の軸方向に沿った鉛直断面図である。
【図５】本発明の実施の形態に係る既設水中構造物の仮締切り工法の（１）組立式フロート設置工程を示す橋脚を橋梁の幅方向に見た説明図である。
【図６】同上の既設水中構造物の仮締切り工法の（２）天井クレーン設置工程を示す説明図である。
【図７】同上の既設水中構造物の仮締切り工法の（３）反力ブラケット設置工程を示す説明図である。
【図８】同上の既設水中構造物の仮締切り工法の（４）仮受ブラケット設置工程を示す説明図である。
【図９】同上の工程で設置する仮受ブラケットを主に示す側面図である。
【図１０】同上の既設水中構造物の仮締切り工法の（５）締切り仮設体の初期組立工程を示す説明図である。
【図１１】同上の既設水中構造物の仮締切り工法の（６）ブラケットの先端付け替え工程で組み立てるガイドブラケットを主に示す側面図である。
【図１２】同上の既設水中構造物の仮締切り工法の（７）締切り仮設体の沈降及び組立工程を示す説明図である。
【図１３】同上の既設水中構造物の仮締切り工法の（８）下部ガイドブラケット取付工程を示す説明図である。
【図１４】同上の既設水中構造物の仮締切り工法の（９）組立・圧入・掘削工程を示す説明図である。
【図１５】同上の（９）圧入・掘削工程が完了した状態を示す説明図である。
【図１６】同上の既設水中構造物の仮締切り工法の（１０）止水処理工程を示す説明図である。
【図１７】同上の既設水中構造物の仮締切り工法の（１１）排水工程を示す説明図である。
【図１８】同上の既設水中構造物の仮締切り工法の（１２）注水及び引抜用鋼材の設置工程を示す説明図である。
【図１９】同上の既設水中構造物の仮締切り工法の（１３）締切り仮設体の引き抜き及び解体工程を示す説明図である。
【図２０】同上の既設水中構造物の仮締切り工法の（１４）埋め戻し工程を示す説明図である。
【図２１】同上の既設水中構造物の仮締切り工法の（１５）その他仮設の撤去工程を示す説明図である。
【発明を実施するための形態】
【００２１】
以下、本発明に係る既設水中構造物の仮締切り工法を実施するための一実施形態について、図面を参照しながら詳細に説明する。なお、既設水中構造物として河川を横断する道路橋の橋脚を例示して説明する。
【００２２】
［締切り仮設体の概要］
先ず、図１〜図４を用いて、既設水中構造物の仮締切り工法により仮設する締切り仮設体の全体概要について説明する。図１、図３等に示すように、既設水中構造物の仮締切り工法により仮設する締切り仮設体１は、鋼材からなる平面視で円弧状の複数の締切り部材２が、互いに周方向に沿って組み合わされた円筒状の構造物であり、橋脚Ｐの水平断面が小判形状をした柱部Ｐ１の周りに対して間隔をあけて設置され、内側の水を汲みだして、橋脚Ｐの調査、補修、補強等の本工事のために橋脚Ｐとの間にドライな作業エリアを構築することを目的としている。
【００２３】
なお、既設水中構造物である橋脚Ｐは、水平断面が小判形状の柱部Ｐ１と、柱部Ｐ１上方の左右に張り出した梁部Ｐ２と、から主に構成され正面視でＴ字状の橋脚であり、柱部Ｐ１が、平面視で円形のフーチングＦと図示しない基礎杭を介して地盤に定着されている。なお、図中のＸ方向が橋梁の橋軸方向、Ｙ方向が橋梁の幅方向、Ｚ方向が上下方向を示している。
【００２４】
締切り仮設体１は、後で詳述するが、図２、図４等で示すように、橋脚Ｐの柱部Ｐ１に取り付けられた反力ブラケット３で柱部Ｐ１から反力を得つつ、油圧ジャッキからなる圧入ジャッキ４により下端が橋脚ＰのフーチングＦの天端に到達するまで各段のロット毎に圧入され、下端内部に止水コンクリート５を打設することにより構築される。なお、図示するように、締切り部材２の左右、上下方向の互いの連結は、ボルト等で連結されている他、補強鋼材で補強されている。
【００２５】
また、締切り仮設体１として、円筒状のものを例示したが、勿論、小判形状をした柱部Ｐ１に合わせて小判形状としても良いし、柱部が水平断面矩形の場合は、それに応じて平面視矩形の枠体としても良い。要するに、締切り仮設体の形状は、既設水中構造物の形状や本工事に応じた適切な作業スペースを確保することのできる形状であれば良い。
【００２６】
そして、締切り仮設体を構成する締切り部材として、鋼材からなる締切り部材２を例示したが、勿論、ＰＣ（プレキャストコンクリート）材や、他の金属材からなるものであっても構わない。要するに、締切り部材及び締切り仮設体は、水圧や土圧に耐えて一定の作業空間を形成できる程度の剛性と、水密性を有していれば、材質等は鋼材に限定されない。但し、汎用性、繰り返し使用による経済性等を考慮すると、鋼材からなるものが好ましいと云える。
【００２７】
［既設水中構造物の仮締切り工法］
次に、図５〜図２１を用いて、本発明の実施の形態に係る既設水中構造物の仮締切り工法について説明する。なお、既設水中構造物等は、前述の締切り仮設体で説明したのと同様であり、同一の構成は同一符号を付し、説明を省略する。
【００２８】
（１）組立式フロート設置工程
先ず、図５に示すように、作業用の足場として橋脚Ｐの周りに組立式フロート６を設置する。この組立式フロート６は、平面視矩形の複数のフロートが橋脚Ｐを中心に組み合わされて平面視で矩形の枠状となったものであり、部材の揚重その他作業上の足場として機能する。
【００２９】
（２）天井クレーン設置工程
次に、図６に示すように、空頭制限のある橋梁の桁下に資材を揚重、運搬するための天井クレーン７を必要数設置する。この天井クレーン７は、電動ホイストなどであり、組立式フロート６から上昇又は下降の操作が可能であればウィンチなど電動以外の動力であっても構わない。また、天井クレーン７は、クランプ等で盛替え容易に取り付けても良いし、ランウェイ上を水平移動可能に構成しても良い。
【００３０】
（３）反力ブラケット設置工程
次に、図７に示すように、締切り仮設体１を圧入する際に橋脚Ｐから反力を得るための反力ブラケット３を橋脚Ｐの柱部Ｐ１の上部に取り付ける。この反力ブラケット３は、鋼製のブラケットであり、柱部Ｐ１に穿孔された孔を利用してケミカルアンカーなどの後施工アンカーで柱部Ｐ１に固定される。また、反力ブラケット３は、柱部Ｐ１の上部に、揚重スペースが十分に取れるよう空頭制限となる梁部Ｐ２の直下となる高さに設けることが好ましい。設置数は、必要数で良いが、本実施の形態では、橋軸方向に見た橋脚Ｐの正面、背面側に２つずつ、両側面側である梁部Ｐ２直下に１つずつの計６基設置している（図３参照）。なお、反力ブラケット３として方杖が下方に位置するものを例示したが、図示したものと上下が逆であっても良いことは云うまでもない。
【００３１】
（４）仮受ブラケット設置工程
次に、図８に示すように、締切り仮設体１の組み立て用の仮受台として橋脚Ｐの柱部Ｐ１側が基端部となるよう仮受ブラケット８を柱部Ｐ１に取り付け設置する。この仮受ブラケット８は、図９に示すように、鋼製のブラケットであり、その先端に、仮受台となる仮受部材８ａがボルト止めにより連結されている。この仮受部材８ａは、ブラケットのビーム材を延長する延長部材８ｂの上面に仮受台となるＨ形鋼からなる受けピース８ｃが溶接されている。なお、橋脚Ｐの水深が浅いような場合、締切り仮設体の外側に足場を組み、その足場が基端部となるよう仮受ブラケット８を設置することも可能である。
【００３２】
仮受ブラケット８の設置高さは、この仮受ブラケット８上で組み立てる締切り仮設体１の段数と、反力ブラケット３との離間距離、圧入ジャッキ４の大きさ等を勘案して定められるものである。本実施の形態に係る仮受ブラケット８の設置高さは、図８に示すように、施工時水位以下となるため、仮受ブラケット８は、ダイバーＤにより水面下に複数の後施工アンカーＡ（図９参照）にボルト止めされることにより柱部Ｐ１に取り付けられている。
【００３３】
（５）締切り仮設体の初期組立工程
次に、図１０に示すように、前工程で設置した仮受ブラケット８上において、刃口部となる最下段の締切り部材２’及び２段目（２ロット目）の締切り部材２を組み立て、２段からなる締切り仮設体１を構築する。勿論、ここで締切り仮設体を組み立てる段数（ロット数）は、空頭制限や反力ブラケット３の設置できる高さ、施工時の水位等に応じて適宜定めれば良い。
【００３４】
このように、波や風などで上下左右に揺れる組立式フロート６上ではなく、既設構造物である橋脚Ｐの柱部Ｐ１に支持される仮受ブラケット８上において締切り仮設体１を組み立てるので、ボルト締めや部材の揚重・荷降ろしなどの作業効率が格段に向上し、工期を短縮して施工費を削減することができる上、安全性も格段に向上する。
【００３５】
（６）ブラケットの先端付け替え工程
次に、２段目まで組み立てた締切り仮設体１を天井クレーン７で一旦吊り上げた後、緊結していたボルトを外して図９で示した仮受ブラケット８の先端の仮受部材８ａを、図１１に示すローラ部材８ａ’に付け替え、仮受ブラケット８からガイドブラケット８’に変更する。このガイドブラケット８’は、図１１に示すように、複数のローラ機構を有するローラ部材８ａ’により、当接する締切り仮設体１の内壁を損傷することなくスライドするように締切り仮設体１をガイドする機能を有している。
【００３６】
なお、このガイドブラケット８’は、ローラ部材８ａ’のようにローラ接合する部材の代わりに、ステンレス鋼板や耐摩耗性樹脂（耐摩耗性を向上させた６ナイロン：（登録商標）ＭＣナイロン等）などからなる曲面構造で摩擦抵抗を低減する機構で締切り仮設体１の内壁と摺接する摺接部材としても同等の機能を発揮することができる。
【００３７】
（７）締切り仮設体の沈降及び組立工程
次に、図１２に示すように、２段目まで組み立てた締切り仮設体１を、ガイドブラケット８’のローラ部材８ａ’に締切り仮設体１の内壁を滑らせてガイドしながら、３段目が組み立て可能な高さまで天井クレーン７により吊り降ろして水中に着水・沈降（下降）させる。そして、上方にできたスペースを利用して、締切り仮設体１の３段目（３ロット目）を組み立てる。
【００３８】
このように、締切り仮設体１を水中に着水し沈降（下降）させる際に、ガイドブラケット８’でガイドしながら沈降させることができるので、締切り仮設体１が着水時等に河川などの水流で押し流されることがなく、効率よく短時間で安全に締切り仮設体１を鉛直に下降させることができる。その上、締切り仮設体１の３段目（３ロット目）を組み立てる際にも、ガイドブラケット８’でガイドされているので、揺れが格段に低減され、組立作業の作業効率も向上する。
【００３９】
（８）下部ガイドブラケット取付工程
次に、図１３に示すように、締切り仮設体１を沈降させ、締切り仮設体１の４段目を組み立てた上、締切り仮設体１の下部（本実施の形態では、２段目）に、下部ガイドブラケット９を取り付けて、水中地盤に締切り仮設体１の下端を着底させる。なお、施工時水位と水中地盤の天端までの距離が深い場合は、前述の締切り仮設体１の沈降・組み立てを必要回（段）繰り返す。
【００４０】
この下部ガイドブラケット９は、ブラケットの基端側が締切り仮設体１の内壁となっているだけで、図１１で示したガイドブラケット８’と略同一構成となっており、橋脚Ｐの柱部Ｐ１と当接する先端が、ローラ部材８ａ’と同一構成のローラ部材９ａとなっている。この下部ガイドブラケット９は、締切り仮設体１の圧入時の刃先部である下端を柱部Ｐ１に沿って鉛直下方にガイドする機能を有している。また、橋脚の柱部にテーパがついているなど橋脚の断面形状が変化する場合は、下部ガイドブラケット９の長さを盛り替えながらガイドさせると好ましい。
【００４１】
（９）組立・圧入・掘削工程
次に、図１４に示すように、柱部Ｐ１に取り付けられた反力ブラケット３で柱部Ｐ１から反力を得つつ、圧入ジャッキ４により締切り仮設体１を水中地盤に圧入する。本実施の形態では、間隔の調整と締切り仮設体１が損傷するのを防止するため圧入ジャッキ４と締切り仮設体１上端との間に角材（端太角）や鋼材などの噛まし材を噛まして圧入ジャッキ４で圧入している。
【００４２】
また、締切り仮設体１の圧入作業と併行してダイバーＤによりバキュームポンプ等を用いて締切り仮設体１内側の地盤を掘削又は浚渫（排土）する。
【００４３】
そして、圧入により空いた上方のスペースを利用して締切り仮設体１の次の段（図示場合は、５段目）を組み立てる。このように、締切り仮設体１の下端が、橋脚ＰのフーチングＦの天端まで到達するまで、組立・圧入・掘削工程を必要段（ロット）繰り返す。フーチングＦの天端まで到達した状態が、図１５である。
【００４４】
（１０）止水処理工程
次に、図１６に示すように、ダイバーＤにより水中型枠を設置し、締切り仮設体１の下端と、水中型枠との間の隙間に止水コンクリート５を打設する。このとき、止水コンクリート５の直上に、下部ガイドブラケット９が存在するため、止水コンクリート５の打設時及び養生時に水流により締切り仮設体１が動かないように仮固定することができ、止水コンクリート５が上手く固まらないことを防ぐことができる。即ち、下部ガイドブラケット９は、止水コンクリート５が硬化するまで間型枠を保持する支保工としての機能も有している。
【００４５】
（１１）排水工程
次に、図１７に示すように、止水コンクリート５が硬化した後、天井クレーン７等を用いて下部ガイドブラケット９、反力ブラケット３、及び圧入ジャッキ４等を撤去する。そして、ポンプ等を用いて締切り仮設体１内の排水を行い、橋脚Ｐとの間にドライな作業エリアを構築する。
【００４６】
その後、耐震補強のために橋脚Ｐの周りに補強部材Ｐ３（例えば、補強鋼板）（図１８参照）を巻き付けるなど橋脚Ｐの調査、補修、補強等の本工事を行う。このとき、本工事の進捗状況に応じてガイドブラケット８’も撤去する。
【００４７】
（１２）注水及び引抜用鋼材設置工程
次に、図１８に示すように、フーチングＦから反力を得て締切り仮設体１を引く抜くための引抜用鋼材１０を、締切り仮設体１の内壁に沿って橋脚ＰのフーチングＦ上に立設する。また、引抜用鋼材１０の最上段に油圧ジャッキからなる引抜ジャッキ１１を設置するとともに、締切り仮設体１の上端に、引抜ピース２ａを取り付ける。
【００４８】
続いて、ポンプ等を用いて、周囲の水を締切り仮設体１内に注水する。注水と併せて、ダイバーＤにより締切り仮設体１を連結している最下段のボルトを切断し、１段目の締切り部材２’だけ切り離す。
【００４９】
（１３）締切り仮設体の引き抜き及び解体工程
次に、図１９に示すように、引抜ジャッキ１１を用いて、最下段の締切り部材２’だけ残して締切り仮設体１を引き抜き、上段から順次解体して行く。また、引抜ピース２ａは、その都度、盛替えて、最上段に取り付ける。
【００５０】
（１４）埋め戻し工程
次に、図２０に示すように、締切り仮設体１を引き抜き解体した後、元の水中地盤に合わせて締切り仮設体１があった場所を埋め戻す。このとき、引き抜き残した最下段の締切り部材２’と止水コンクリート５も一緒に埋め戻す。但し、経済性、工程、土被りなど諸条件を勘案して締切り部材２’と止水コンクリート５も撤去しても構わない。
【００５１】
（１５）その他仮設の撤去工程
最後に、図２１に示すように、天井クレーン７や組立フロート６など、その他の仮設物を撤去して、本実施の形態に係る既設水中構造物の仮締切り工法が終了する。
【００５２】
以上に説明した本発明の実施の形態に係る既設水中構造物の仮締切り工法によれば、本工事の作業スペースとなる締切り仮設体１の内部だけを浚渫すれば良いので、浚渫範囲を最小限にするとともに、環境にも悪影響を及ぼすことが少なくなる。また、ガイドブラケット８’により、締切り仮設体１をガイドしながら沈降又は圧入（下降）させるので、大掛かりな足場を組む必要がないうえ、締切り仮設体１の着水の際に、水流により締切り仮設体１が傾倒するおそれが少なく、極めて安全で作業期間を削減することができる。
【００５３】
また、締切り仮設体１を圧入ジャッキ４により水中地盤に圧入する際に、下部ガイドブラケット９でガイドするので、締切り仮設体１の水中地盤への圧入を正確に鉛直下方に案内・誘導することができ、不要な抵抗を受けずにスムーズに圧入することができる。このため、作業期間を削減して施工費の低減を図ることができる。
【００５４】
そのうえ、本実施の形態に係る既設水中構造物の仮締切り工法によれば、仮受ブラケット８を利用して締切り仮設体１の初期の組立を行うことができる。このため、空頭制限を受ける狭隘な場所であっても、また、風等により吊り荷が回転してしまうような場合であっても、締切り仮設体１の組立が容易である。その上、仮受ブラケット８の先端を付け替えてガイドブラケット９に変更し、締切り仮設体１の着水時の位置を正確に案内できるので、さらに作業期間を削減して施工費の低減を図ることができる。
【００５５】
さらに、引抜用鋼材１０を利用して引抜ジャッキ１１により締切り仮設体１を引き抜くことができるので、締切り仮設体１の解体・撤去作業を短時間で容易に行うことができる。このため、さらに作業期間を削減して施工費の低減を図ることができる。
【００５６】
以上、本発明の実施の形態に係る既設水中構造物の仮締切り工法について詳細に説明したが、前述した又は図示した実施の形態は、何れも本発明を実施するにあたって具体化した一実施の形態を示したものに過ぎず、これらによって本発明の技術的範囲が限定的に解釈されてはならないものである。
【００５７】
特に、各種ブラケットは、方杖のあるものに限定されず、単なる壁面に突設された条材であっても構わない。また、圧入ジャッキ４や引抜ジャッキ１１等も油圧ジャッキに限られず、電動シリンダ等の他の動力機構であっても構わない。このような機構や部材であても、前記作用効果を奏することは明らかである。
【符号の説明】
【００５８】
Ｐ                ：橋脚
Ｐ１              ：柱部
Ｐ２              ：梁部
Ｐ３              ：補強部材
Ｆ                ：フーチング
１                ：締切り仮設体
２                ：締切り部材
２ａ              ：引抜ピース
３                ：反力ブラケット
４                ：圧入ジャッキ
５                ：止水コンクリート
６                ：組立式フロート
７                ：天井クレーン
８                ：仮受ブラケット
８ａ              ：仮受部材
８’              ：ガイドブラケット
８ａ’            ：ローラ部材
９                ：下部ガイドブラケット
９ａ              ：ローラ部材
１０              ：引抜用鋼材
１１              ：引抜ジャッキ
【図２】
0006010070.tif 000002
【図３】
0006010070.tif 000003
【図４】
0006010070.tif 000004
【図５】
0006010070.tif 000005
【図６】
0006010070.tif 000006
【図７】
0006010070.tif 000007
【図８】
0006010070.tif 000008
【図９】
0006010070.tif 000009
【図１０】
0006010070.tif 000010
【図１１】
0006010070.tif 000011
【図１２】
0006010070.tif 000012
【図１３】
0006010070.tif 000013
【図１４】
0006010070.tif 000014
【図１５】
0006010070.tif 000015
【図１６】
0006010070.tif 000016
【図１７】
0006010070.tif 000017
【図１８】
0006010070.tif 000018
【図１９】
0006010070.tif 000019
【図２０】
0006010070.tif 000020
【図２１】
0006010070.tif 000021
【図１】
0006010070.tif 000022